(57)【要約】【課題】透かしの改竄を困難にし、送受信装置の暗号および復号処理を必須ではないようにする。【解決手段】送信装置は、コンテンツを複数に複製し、それぞれに異なる電子透かしを埋め込み、配信経路管理装置は、受信装置が受信する一連のコンテンツを、その途中から異なる電子透かしが埋め込まれたコンテンツの断片と１回以上入れ替える指示をデータ転送装置に行い、データ転送装置は、送信装置から配信されたそれぞれ異なる電子透かしを埋め込まれた複数の複製されたコンテンツの中から指示に従い該当する電子透かしが埋め込まれたコンテンツの断片を受信装置に転送する。あるいは、データ転送装置は、自装置に接続されている受信装置が受信する一連のコンテンツが、その途中から異なる電子透かしが埋め込まれたコンテンツの断片と１回以上入れ替わるようにコンテンツ配信要求を送信装置に対して行う。【選択図】図１
2008205663.tif 000002
【特許請求の範囲】
【請求項１】
１以上の送信装置と、複数の受信装置と、１以上の配信経路管理装置とが、１以上のデータ転送装置により構成される同報配信ネットワークに接続された同報配信システムであって、
前記送信装置は、コンテンツを複数に複製し、それぞれに異なる電子透かしを埋め込む手段を含み、
前記配信経路管理装置は、前記受信装置が受信する一連のコンテンツを、その途中から異なる電子透かしが埋め込まれたコンテンツの断片と１回以上入れ替える指示を前記データ転送装置に行う手段を含み、
前記データ転送装置は、前記送信装置から配信されたそれぞれ異なる電子透かしを埋め込まれた複数の複製されたコンテンツの中から前記指示に従い該当する電子透かしが埋め込まれたコンテンツの断片を前記受信装置に転送する手段を含む
ことを特徴とする同報配信システム。
【請求項２】
１以上の送信装置と、複数の受信装置とが、複数のデータ転送装置により構成される同報配信ネットワークに接続された同報配信システムであって、
前記送信装置は、コンテンツを複数に複製し、それぞれに異なる電子透かしを埋め込む手段を含み、
前記データ転送装置は、
自装置に接続されている前記受信装置が受信する一連のコンテンツが、その途中から異なる電子透かしが埋め込まれたコンテンツの断片と１回以上入れ替わるようにコンテンツ配信要求を前記送信装置に対して行う手段と、
前記送信装置から前記コンテンツ配信要求に応じて配信されたコンテンツの断片を自装置に接続された前記受信装置に転送する手段と
を含むことを特徴とする同報配信システム。
【請求項３】
コンテンツを複数に複製し、それぞれに異なる電子透かしを埋め込む１以上の送信装置と、複数の受信装置と、１以上の配信経路管理装置とが、前記送信装置から配信されたそれぞれ異なる電子透かしを埋め込まれた複数の複製されたコンテンツの中から前記配信経路管理装置の指示に従い該当する電子透かしが埋め込まれたコンテンツを前記受信装置に転送する１以上のデータ転送装置により構成される同報配信ネットワークに接続された同報配信システムにおける前記配信経路管理装置であって、
前記指示を生成する際に、前記受信装置が受信する一連のコンテンツが、その途中から異なる電子透かしが埋め込まれたコンテンツの断片と１回以上入れ替わるような指示を生成する手段を含む
ことを特徴とする配信経路管理装置。
【請求項４】
コンテンツを複数に複製し、それぞれに異なる電子透かしを埋め込む１以上の送信装置と、複数の受信装置と、この受信装置が受信する一連のコンテンツを、その途中から異なる電子透かしが埋め込まれたコンテンツの断片と１回以上入れ替える指示を行う１以上の配信経路管理装置とが、１以上のデータ転送装置により構成される同報配信ネットワークに接続された同報配信システムにおける前記データ転送装置であって、
前記送信装置から配信されたそれぞれ異なる電子透かしを埋め込まれた複数の複製されたコンテンツの中から前記指示に従い該当する電子透かしが埋め込まれたコンテンツの断片を前記受信装置に転送する手段を含む
ことを特徴とするデータ転送装置。
【請求項５】
コンテンツを複数に複製し、それぞれに異なる電子透かしを埋め込む１以上の送信装置と、複数の受信装置とが、複数のデータ転送装置により構成される同報配信ネットワークに接続された同報配信システムにおける前記データ転送装置であって、
自装置に接続されている前記受信装置が受信する一連のコンテンツが、その途中から異なる電子透かしが埋め込まれたコンテンツの断片と１回以上入れ替わるようにコンテンツ配信要求を前記送信装置に対して行う手段と、
前記送信装置から前記コンテンツ配信要求に応じて配信されたコンテンツの断片を自装置に接続された前記受信装置に転送する手段と
を含むことを特徴とするデータ転送装置。
【請求項６】
汎用の情報処理装置にインストールすることにより、その汎用の情報処理装置に、請求項３記載の配信経路管理装置の機能に相応する機能を実現させるプログラム。
【請求項７】
汎用の情報処理装置にインストールすることにより、その汎用の情報処理装置に、請求項４記載のデータ転送装置の機能に相応する機能を実現させるプログラム。
【請求項８】
汎用の情報処理装置にインストールすることにより、その汎用の情報処理装置に、請求項５記載のデータ転送装置の機能に相応する機能を実現させるプログラム。
【請求項９】
１以上の送信装置と、複数の受信装置と、１以上の配信経路管理装置とが、１以上のデータ転送装置により構成される同報配信ネットワークに接続された同報配信システムにおいて実行される同報配信方法であって、
前記送信装置は、コンテンツを複数に複製し、それぞれに異なる電子透かしを埋め込み、
前記配信経路管理装置は、前記受信装置が受信する一連のコンテンツを、その途中から異なる電子透かしが埋め込まれたコンテンツの断片と１回以上入れ替える指示を前記データ転送装置に行い、
前記データ転送装置は、前記送信装置から配信されたそれぞれ異なる電子透かしを埋め込まれた複数の複製されたコンテンツの中から前記指示に従い該当する電子透かしが埋め込まれたコンテンツの断片を前記受信装置に転送する
ことを特徴とする同報配信方法。
【請求項１０】
１以上の送信装置と、複数の受信装置とが、複数のデータ転送装置により構成される同報配信ネットワークに接続された同報配信システムにおいて実行される同報配信方法であって、
前記送信装置は、コンテンツを複数に複製し、それぞれに異なる電子透かしを埋め込み、
前記データ転送装置は、
自装置に接続されている前記受信装置が受信する一連のコンテンツが、その途中から異なる電子透かしが埋め込まれたコンテンツの断片と１回以上入れ替わるようにコンテンツ配信要求を前記送信装置に対して行い、
前記送信装置から前記コンテンツ配信要求に応じて配信されたコンテンツの断片を自装置に接続された前記受信装置に転送する
を含むことを特徴とする同報配信方法。
【発明の詳細な説明】
【技術分野】
【０００１】
本発明は、電子透かしを用いてコンテンツを同報配信するネットワークに利用する。特に、電子透かしの改竄などの不正行為を抑止する技術に関する。以下では「電子透かし」を単に「透かし」と呼ぶ。
【背景技術】
【０００２】
ＩＰマルチキャストなどの同報配信システムは、経路上でコンテンツをねずみ算式に複製しながら配信する方法であり、個別に配信を行うユニキャストに比べてトラフィックを大幅に削減することができる。しかし、全ての受信装置に同じデータが届くため、コンテンツが流出したときに流出元の特定が困難になるという課題がある。
【０００３】
非特許文献１には「同報配信」と「コンテンツの区別」という相反する要求条件を満たす方法が提案されている。異なる透かしを埋め込んだコンテンツを二つ用意し、受信装置に短時間で切替えながら受信させることで、受信装置毎に異なる透かしパターンを埋め込む。
【０００４】
従来技術について図９および図１０を参照して説明する。図９は従来技術の説明に用いるシステム構成例を示す図である。図１０は従来技術の説明に用いる全体図である。図９のように、送信装置１と受信装置５および６が同報配信ネットワーク２に接続されている。図１０に示すように、送信装置１は、オリジナルコンテンツを二つに複製し、それぞれに異なる透かしを埋め込む。ここでは、それぞれのコンテンツをＡ、Ｂと呼ぶことにする。コンテンツを短い断片に区切り、異なる鍵で暗号化を行う。断片を前から順に１、２、３、…と表す。ここでは、コンテンツＡは２番目の断片をコンテンツＡ−２と表す。
【０００５】
送信装置１は、受信装置５および６に鍵を配るとき、断片毎にコンテンツＡあるいはＢのいずれかの鍵のみを配る。鍵は事前にユニキャストにより配信しておく。例えば、一台目の受信装置５にはコンテンツＡ−１、コンテンツＡ−２、コンテンツＢ−３、…のように鍵を配り、二台目の受信装置６にはコンテンツＢ−１、コンテンツＡ−２、コンテンツＢ−３、…のように配る。鍵のパターンがそのまま透かしのパターンとなる。断片数をｎとすると、２nの透かしパターンを生成することができる。
【０００６】
送信装置１は、コンテンツＡ、Ｂそれぞれに異なるマルチキャストアドレスを割当てる。コンテンツＡ、Ｂはおおよそ同期して配信されなければならない。受信装置５および６は、コンテンツＡ、Ｂのうち鍵を持っている方に適宜切替えながら受信を行う。
【０００７】
この方式では、透かしの信頼性は鍵の安全性によって決定される。暗号が破られたり、鍵が漏れると、悪意のある受信者は全ての断片を受信し、任意の透かしパターンを生成できてしまう。
【０００８】
【非特許文献１】Ｒ．Ｐａｒｎｅｓ  ａｎｄ  Ｒ．Ｐａｒｖｉａｉｎｅｎ，“Ｌａｒｇｅ  ｓｃａｌｅ  ｄｉｓｔｒｉｂｕｔｅｄ  ｗａｔｅｒｍａｒｋｉｎｇ  ｏｆ  ｍｕｌｔｉｃａｓｔ  ｍｅｄｉａ  ｔｈｒｏｕｇｈ  ｅｎｃｒｙｐｔｉｏｎ，”Ｐｒｏｃ．ｏｆ  ＩＦＩＰ  Ｃｏｍｍｕｎｉｃａｔｉｏｎｓ  ａｎｄ  Ｍｕｌｔｉｍｅｄｉａ  Ｓｅｃｕｒｉｔｙ  Ｉｓｓｕｅｓ  ｏｆ  ｔｈｅ  Ｎｅｗ  Ｃｅｎｔｕｒｙ，ｐ．１７，２００１
【発明の開示】
【発明が解決しようとする課題】
【０００９】
非特許文献１の方法では、透かしの信頼性は鍵の安全性によって決定される。暗号が破られたり鍵が漏れると、悪意のある受信者は全ての断片を受信し、任意の透かしパターンを生成できてしまう。
【００１０】
これは、割当てられていない方のコンテンツであっても、全ての受信装置が受信できてしまうことが原因である。また、送受信装置は暗号および復号処理が必須となる。
【００１１】
本発明は、このような背景の下に行われたものであって、悪意のある受信者による透かしの改竄が困難になると共に、送受信装置の暗号および復号処理が必須ではなくなる同報配信システムおよび方法を提供することを目的とする。
【課題を解決するための手段】
【００１２】
本発明は、１以上の送信装置と、複数の受信装置と、１以上の配信経路管理装置とが、１以上のデータ転送装置により構成される同報配信ネットワークに接続された同報配信システムである。
【００１３】
ここで、本発明の特徴とするところは、前記送信装置は、コンテンツを複数に複製し、それぞれに異なる電子透かしを埋め込む手段を含み、前記配信経路管理装置は、前記受信装置が受信する一連のコンテンツを、その途中から異なる電子透かしが埋め込まれたコンテンツの断片と１回以上入れ替える指示を前記データ転送装置に行う手段を含み、前記データ転送装置は、前記送信装置から配信されたそれぞれ異なる電子透かしを埋め込まれた複数の複製されたコンテンツの中から前記指示に従い該当する電子透かしが埋め込まれたコンテンツの断片を前記受信装置に転送する手段を含むところにある。
【００１４】
あるいは、本発明は、１以上の送信装置と、複数の受信装置とが、複数のデータ転送装置により構成される同報配信ネットワークに接続された同報配信システムであって、本発明の特徴とするところは、前記送信装置は、コンテンツを複数に複製し、それぞれに異なる電子透かしを埋め込む手段を含み、前記データ転送装置は、自装置に接続されている前記受信装置が受信する一連のコンテンツが、その途中から異なる電子透かしが埋め込まれたコンテンツの断片と１回以上入れ替わるようにコンテンツ配信要求を前記送信装置に対して行う手段と、前記送信装置から前記コンテンツ配信要求に応じて配信されたコンテンツの断片を自装置に接続された前記受信装置に転送する手段とを含むところにある。
【００１５】
なお、ここで“接続”とは物理的に直接接続されている接続関係の他に、間接的に接続されている接続関係あるいは論理的な接続関係も含むものとする。
【００１６】
このように、本発明では、受信装置に必要最小なコンテンツの断片のみを転送することができるため、従来のように、悪意のある受信者によって任意の透かしパターンを生成することは困難となり、従来の課題であった透かしパターンの改竄を回避することができる。また、暗号化および復号化に頼ることなくコンテンツ配信の安全性が確保できるため、従来のように暗号化および復号化が必須ではなくなり、暗号化および復号化を省略することが可能となる。
【００１７】
本発明を配信経路管理装置の観点から観ることもできる。すなわち、本発明は、コンテンツを複数に複製し、それぞれに異なる電子透かしを埋め込む１以上の送信装置と、複数の受信装置と、１以上の配信経路管理装置とが、前記送信装置から配信されたそれぞれ異なる電子透かしを埋め込まれた複数の複製されたコンテンツの中から前記配信経路管理装置の指示に従い該当する電子透かしが埋め込まれたコンテンツを前記受信装置に転送する１以上のデータ転送装置により構成される同報配信ネットワークに接続された同報配信システムにおける前記配信経路管理装置であって、本発明の特徴とするところは、前記指示を生成する際に、前記受信装置が受信する一連のコンテンツが、その途中から異なる電子透かしが埋め込まれたコンテンツの断片と１回以上入れ替わるような指示を生成する手段を含むところにある。
【００１８】
また、本発明をデータ転送装置の観点から観ることもできる。すなわち、本発明は、コンテンツを複数に複製し、それぞれに異なる電子透かしを埋め込む１以上の送信装置と、複数の受信装置と、この受信装置が受信する一連のコンテンツを、その途中から異なる電子透かしが埋め込まれたコンテンツの断片と１回以上入れ替える指示を行う１以上の配信経路管理装置とが、１以上のデータ転送装置により構成される同報配信ネットワークに接続された同報配信システムにおける前記データ転送装置であって、本発明の特徴とするところは、前記送信装置から配信されたそれぞれ異なる電子透かしを埋め込まれた複数の複製されたコンテンツの中から前記指示に従い該当する電子透かしが埋め込まれたコンテンツの断片を前記受信装置に転送する手段を含むところにある。
【００１９】
あるいは、本発明は、コンテンツを複数に複製し、それぞれに異なる電子透かしを埋め込む１以上の送信装置と、複数の受信装置とが、複数のデータ転送装置により構成される同報配信ネットワークに接続された同報配信システムにおける前記データ転送装置であって、本発明の特徴とするところは、自装置に接続されている前記受信装置が受信する一連のコンテンツが、その途中から異なる電子透かしが埋め込まれたコンテンツの断片と１回以上入れ替わるようにコンテンツ配信要求を前記送信装置に対して行う手段と、前記送信装置から前記コンテンツ配信要求に応じて配信されたコンテンツの断片を自装置に接続された前記受信装置に転送する手段とを含むところにある。
【００２０】
また、本発明をプログラムの観点から観ることもできる。すなわち、本発明は、汎用の情報処理装置にインストールすることにより、その汎用の情報処理装置に、本発明の配信経路管理装置またはデータ転送装置の機能に相応する機能を実現させるプログラムである。
【００２１】
本発明のプログラムは記録媒体に記録されることにより、前記汎用の情報処理装置は、この記録媒体を用いて本発明のプログラムをインストールすることができる。あるいは、本発明のプログラムを保持するサーバからネットワークを介して直接前記汎用の情報処理装置に本発明のプログラムをインストールすることもできる。
【００２２】
これにより、汎用の情報処理装置を用いて、本発明の配信経路管理装置またはデータ転送装置に相応する機能を実現することができる。
【００２３】
なお、本発明のプログラムは、汎用の情報処理装置によって直接実行可能なものだけでなく、ハードディスクなどにインストールすることによって実行可能となるものも含む。また、圧縮されたり、暗号化されたりしたものも含む。
【００２４】
また、本発明を同報配信方法の観点から観ることもできる。すなわち、本発明は、１以上の送信装置と、複数の受信装置と、１以上の配信経路管理装置とが、１以上のデータ転送装置により構成される同報配信ネットワークに接続された同報配信システムにおいて実行される同報配信方法であって、本発明の特徴とするところは、前記送信装置は、コンテンツを複数に複製し、それぞれに異なる電子透かしを埋め込み、前記配信経路管理装置は、前記受信装置が受信する一連のコンテンツを、その途中から異なる電子透かしが埋め込まれたコンテンツの断片と１回以上入れ替える指示を前記データ転送装置に行い、前記データ転送装置は、前記送信装置から配信されたそれぞれ異なる電子透かしを埋め込まれた複数の複製されたコンテンツの中から前記指示に従い該当する電子透かしが埋め込まれたコンテンツの断片を前記受信装置に転送するところにある。
【００２５】
あるいは、本発明は、１以上の送信装置と、複数の受信装置とが、複数のデータ転送装置により構成される同報配信ネットワークに接続された同報配信システムにおいて実行される同報配信方法であって、本発明の特徴とするところは、前記送信装置は、コンテンツを複数に複製し、それぞれに異なる電子透かしを埋め込み、前記データ転送装置は、自装置に接続されている前記受信装置が受信する一連のコンテンツが、その途中から異なる電子透かしが埋め込まれたコンテンツの断片と１回以上入れ替わるようにコンテンツ配信要求を前記送信装置に対して行い、前記送信装置から前記コンテンツ配信要求に応じて配信されたコンテンツの断片を自装置に接続された前記受信装置に転送するところにある。
【発明の効果】
【００２６】
本発明によれば、受信装置毎に異なる透かしが埋め込まれたコンテンツを配信する同報配信システムにおいて、悪意のある受信者による透かしの改竄が困難になる。また、送受信装置の暗号および復号処理が必須ではなくなる。
【発明を実施するための最良の形態】
【００２７】
（第一実施例）
本発明の第一実施例を図１ないし図４を参照して説明する。図１は本実施例の説明に用いるシステム構成例を示す図である。図２は本実施例の説明に用いる全体図である。図３は本実施例の説明に用いる機能ブロック図である。図４は本実施例の説明に用いるシーケンス図である。
【００２８】
本実施例では、図１に示すように、送信装置１と受信装置５および６と配信経路管理装置４とが同報配信ネットワーク２にそれぞれ接続されている。同報配信ネットワーク２は、データ転送装置３により構成されている。説明を分り易くするために、１台のデータ転送装置３のみ図示しているが、実際には多くのデータ転送装置で構成されていてもよい。また、送信装置１は、同報配信ネットワーク２の運用者を信頼できるものとする。
【００２９】
送信装置１は、図２に示すように、オリジナルコンテンツを二つに複製し、それぞれに異なる透かしを埋め込む。配信経路管理装置４は、図３に示す透かしパターン計算部４１により、受信装置５および６毎に透かしパターンを決定し、透かしパターン記憶部４０に記憶しておく。ここでは、受信装置５にコンテンツＡを配信し、受信装置６にコンテンツＢを配信することに決定する。また、データ送信部４２を用いてデータ転送装置３にこのパターンを通知する。
【００３０】
データ転送装置３は、データ送受信部３１を介して配信経路管理装置４から透かしパターンの通知を受け取り、透かしパターン記憶部３０に通知されたパターンを記憶し、送信装置１からデータ送受信部３１を介してコンテンツＡ、Ｂそれぞれを受信すると、データ送受信部３１を介して受信装置５にコンテンツＡ（断片）を転送し、受信装置６にコンテンツＢ（断片）を転送する。
【００３１】
図３における細線矢印は、パターン計算決定結果出力やパターン通知などの制御情報の流れを示し、太線矢印はコンテンツなどの転送情報の流れを示す。
【００３２】
しばらくして配信経路管理装置４は、透かしパターンの変更を行い、受信装置５にコンテンツＡを配信し、受信装置６にもコンテンツＡを配信することに決定し、データ転送装置３にこのパターンを通知する。
【００３３】
データ転送装置３は、データ送受信部３１を介して配信経路管理装置４から透かしパターンの通知を受け取り、透かしパターン記憶部３０に通知された新たなパターンを記憶し、送信装置１からデータ送受信部３１を介してコンテンツＡ、Ｂそれぞれを受信すると、受信装置５および６にコンテンツＡ（断片）を転送する。
【００３４】
以上の手順を図４のシーケンス図に示す。なお、図２の例では、この後に受信装置５および６共にそれぞれコンテンツＢ（断片）を転送している。最終的には、受信装置５および６は、受信した各断片を結合させることにより、オリジナルコンテンツを取得することができる。
【００３５】
なお、変更後の透かしパターンを事前に決定し、通知しておいてもかまわない。また、必要に応じて暗号および復号処理を行ってもよい。
【００３６】
また、図１および図２の例では、説明を分り易くするために、配信経路管理装置４とデータ転送装置３とは別個の装置として説明したが、実際には、これらの装置を同一の装置に実装してもよい。
【００３７】
（第二実施例）
本発明の第二実施例を図５ないし図８を参照して説明する。図５は本実施例の説明に用いるシステム構成例を示す図である。図６は本実施例の説明に用いる全体図である。図７は本実施例の説明に用いる機能ブロック図である。図８は本実施例の説明に用いるシーケンス図である。
【００３８】
図５のように、送信装置１と受信装置５および６とが同報配信ネットワーク２に接続されている。同報配信ネットワーク２は、転送装置３−１および３−２で構成されている。説明を分り易くするために２台の転送装置３−１および３−２で構成しているが、実際にはより多くの転送装置で構成されていてもよい。送信装置１は、同報配信ネットワーク２の運用者を信頼できるものとする。
【００３９】
送信装置１は、図６に示すように、オリジナルコンテンツを二つに複製し、それぞれに異なる透かしを埋め込む。データ転送装置３−１、３−２は、図７の透かしパターン計算部３２により、接続されている受信装置５、６の透かしパターンを決定し、透かしパターン記憶部３０に記憶しておく。ここでは、データ転送装置３−１は受信装置５にコンテンツＡを配信すると決定し、データ転送装置３−２は受信装置６にコンテンツＢを配信することを決定する。
【００４０】
データ転送装置３−１、３−２は、送信装置１に、データ送受信部３１を介してコンテンツＡ、Ｂのコンテンツ配信要求を送信する。送信装置１はコンテンツ配信要求を受け取ると、データ転送装置３−１、３−２にそれぞれコンテンツＡ、Ｂを配信する。データ転送装置３−１は、データ送受信部３１を介して送信装置１からコンテンツＡを受信すると、データ送受信部３１を介して受信装置５にコンテンツＡ（断片）を転送する。データ転送装置３−２は、データ送受信部３１を介して送信装置１からコンテンツＢを受信すると、データ送受信部３１を介して受信装置６にコンテンツＢ（断片）を転送する。
【００４１】
図７における細線矢印は、パターン計算決定結果出力やパターン通知などの制御情報の流れを示し、太線矢印はコンテンツなどの転送情報の流れを示す。
【００４２】
しばらくしてデータ転送装置３−１、３−２は、透かしパターンの変更を行う。データ転送装置３−１は受信装置５にコンテンツＡを配信すると決定し、データ転送装置３−２は受信装置６にコンテンツＡを配信することに決定する。
【００４３】
データ転送装置３−１、３−２は、送信装置１に、データ送受信部３１を介してそれぞれコンテンツＡのコンテンツ配信要求を送信する。送信装置１はコンテンツ配信要求を受け取ると、データ転送装置３−１、３−２にそれぞれコンテンツＡを配信する。データ転送装置３−１は、データ送受信部３１を介して送信装置１からコンテンツＡを受信すると、データ送受信部３１を介して受信装置５にコンテンツＡ（断片）を転送する。データ転送装置３−２は、データ送受信部３１を介して送信装置１からコンテンツＡを受信すると、データ送受信部３１を介して受信装置６にコンテンツＡ（断片）を転送する。
【００４４】
以上の手順を図８のシーケンス図に示す。なお、図６の例では、この後に受信装置５および６共にそれぞれコンテンツＢ（断片）を転送している。最終的には、受信装置５および６は、受信した各断片を結合させることにより、オリジナルコンテンツを取得することができる。
【００４５】
なお、変更後の透かしパターンを事前に決定してもかまわない。また、必要に応じて暗号および復号処理を行ってもよい。また、データ転送装置３−１および３−２は、互いに自律分散的に動作してもよいし、連携して動作してもよい。連携した場合には偶発的にデータ転送装置３−１および３−２の透かしパターンが一致するといった事態を回避することができる利点があるが、偶発的にデータ転送装置３−１および３−２の透かしパターンが一致することによるリスクは問題視するほどのものではないと考えられる。
【００４６】
また、図５および図６の説明では、説明を分り易くするために、データ転送装置３−１と３−２とを別個の装置として説明したが、これらの装置を同一の装置に実装してもよい。
【００４７】
このように、本実施例により、暗号の破壊や鍵の漏洩に伴うリスクを回避でき、また、暗号化処理を回避することができる。
【００４８】
また、汎用の情報処理装置にインストールすることにより、その汎用の情報処理装置に、本実施例の配信経路管理装置４、データ転送装置３、３−１、３−２にそれぞれ相応する機能を実現させるプログラムを実施例として例示することができる。
【００４９】
本実施例のプログラムは記録媒体に記録されることにより、前記汎用の情報処理装置は、この記録媒体を用いて本実施例のプログラムをインストールすることができる。あるいは、本実施例のプログラムを保持するサーバからネットワークを介して直接前記汎用の情報処理装置に本実施例のプログラムをインストールすることもできる。
【００５０】
これにより、汎用の情報処理装置を用いて、本実施例の配信経路管理装置４、データ転送装置３、３−１、３−２にそれぞれ相応する機能を実現することができる。
【００５１】
なお、本実施例のプログラムは、汎用の情報処理装置によって直接実行可能なものだけでなく、ハードディスクなどにインストールすることによって実行可能となるものも含む。また、圧縮されたり、暗号化されたりしたものも含む。
【産業上の利用可能性】
【００５２】
本発明によれば、受信装置毎に異なる透かしが埋め込まれたコンテンツを配信する同報配信システムにおいて、悪意のある受信者による透かしの改竄が困難になり、送受信装置の暗号および復号処理が必須ではなくなるので、ネットワークユーザおよびネットワーク運営者の双方にとって利便性およびサービス品質の向上に利用することができる。
【図面の簡単な説明】
【００５３】
【図１】第一実施例の説明に用いるシステム構成例を示す図。
【図２】第一実施例の説明に用いる全体図。
【図３】第一実施例の説明に用いる機能ブロック図。
【図４】第一実施例の説明に用いるシーケンス図。
【図５】第二実施例の説明に用いるシステム構成例を示す図。
【図６】第二実施例の説明に用いる全体図。
【図７】第二実施例の説明に用いる機能ブロック図。
【図８】第二実施例の説明に用いるシーケンス図。
【図９】従来技術の説明に用いるシステム構成例を示す図。
【図１０】従来技術の説明に用いる全体図。
【符号の説明】
【００５４】
１  送信装置
２  同報配信ネットワーク
３、３−１、３−２  データ転送装置
４  配信経路管理装置
５、６  受信装置
３０、４０  透かしパターン記憶部
３１  データ送受信部
３２、４１  透かしパターン計算部
４２  データ送信部
【図１】
2008205663.tif 000003
【図２】
2008205663.tif 000004
【図３】
2008205663.tif 000005
【図４】
2008205663.tif 000006
【図５】
2008205663.tif 000007
【図６】
2008205663.tif 000008
【図７】
2008205663.tif 000009
【図８】
2008205663.tif 000010
【図９】
2008205663.tif 000011
【図１０】
2008205663.tif 000012